(57)【要約】【課題】磁気の血流促進効果とセラミックの遠赤外線による温熱作用とにより、血流促進効果や痛みの解消効果を更に高めることができる磁気装身具を提供する。【解決手段】紐状部材２０に複数個の装飾体１０を連設して磁気装身具を設ける。装飾体１０を磁石１１と被覆体１２とで構成する。磁石１１に紐状部材２０を貫通する貫通孔１１Ａを設ける。貫通孔１１Ａの一端側をＮ極とし貫通孔１１Ａの他端側をＳ極とする。ジルコニウム系セラミックから成る被覆体１２を形成する。被覆体１２で磁石１１の貫通孔１１Ａに沿った周側面を覆う。紐状部材２０に複数個の装飾体１０をスライド自在に連設する。隣接する装飾体１０の相対向した磁極が同極になるように配置する。【選択図】  図２
0003210600.tif 000002
【実用新案登録請求の範囲】
【請求項１】
磁石にて形成された装飾体が紐状部材に連設された磁気装身具において、装飾体は、紐状部材を貫通せしめる貫通孔を備えた磁石と、該貫通孔の一端側をＮ極とし貫通孔の他端側をＳ極とした磁石の外側面を覆うセラミック製の被覆体とを備え、隣接する装飾体の相対向した磁極が同極になるように配置して紐状部材にスライド自在に連設したことを特徴とする磁気装身具。
【請求項２】
磁石は筒状のネオジウム磁石とし、該磁石の周側面を覆うジルコニア製の被覆体と、磁石の開口両端部の外周囲を保護するチタン製の端部保護体とを設け、隣接する装飾体の端部保護体相互が当接するように構成した請求項１記載の磁気装身具。
【請求項３】
前記紐状部材をスネークチェーンにて構成し、該紐状部材に固定する位置調整体を設け、前記紐状部材に連設した前記装飾体の位置を位置調整体にて固定するように構成した請求項１記載の磁気装身具。
【請求項４】
前記位置調整体は、前記磁石の前記貫通孔に嵌入する嵌入部と前記紐状部材を挿通する貫通孔とを備え、前記紐状部材に連設した前記装飾体の位置を位置調整体にて固定するように構成した請求項３記載の磁気装身具。
【考案の詳細な説明】
【技術分野】
【０００１】
本考案は、永久磁石により形成された装飾体の磁気を使用者自らが磁気の調整を行うことができる磁気装身具に係り、特に、磁力と遠赤外線との相乗効果が得られる磁気装身具に関するものである。
【背景技術】
【０００２】
磁石の磁気作用は、人体における血行の促進や痛みの解消などに有効であることが知られている。そのため、磁石を装身具に組み込んだ各種の磁気装身具が提案されている。
【０００３】
一方、セラミック混成地金を使用した装身具が特許文献１に記載されている。この装身具は、装身具を着用した状態で電磁波障害を防止して健康を増進させることができるように、金、銀等の貴金属素材に、グラファイト（黒鉛）とシリカ（ＳｉＯ2）との混合物を主成分とするセラミック粉末を少量混合し、加熱溶融したセラミック混成地金を使用した装身具である。
【０００４】
また、特許文献２には、血流促進効果のあるセラミックス成形体が記載されている。このセラミックス成形体は、ピロリン酸カルシウムを含有しているセラミックス母材に対して、五酸化アンチモン含有酸化スズが配合された原料組成物を、成形、焼成したものである。このセラミックス成形体によると、ピロリン酸カルシウムにて白色度の高い透明感のある白色体となり、五酸化アンチモン含有酸化スズが配合されているため血流促進効果を奏するというものである。
【先行技術文献】
【特許文献】
【０００５】
【特許文献１】特開２００２-２０６１２５号公報
【特許文献２】特許第５３４６００５号公報
【考案の開示】
【考案が解決しようとする課題】
【０００６】
特許文献１や特許文献２のように、セラミックを利用して電磁波障害を防止したり、血流促進効果を促進したりする装身具は提案されているが、磁石の磁気作用とセラミックの遠赤外線作用を組み合わせた装身具はこれまで提案されていなかった。
【０００７】
すなわち、セラミックの中には、遠赤外線を多く放射するものがある。この遠赤外線作用として、例えば岩盤浴などのように身体を暖める作用があることは良く知られている。
【０００８】
一方、磁石の磁気の作用のように、人体のツボなどに磁力を当てることで血流促進効果や、痛みの解消効果等が得られることも体験されている。
【０００９】
そこで本考案は、磁気の作用による肩回り全体の血流促進効果と共に、セラミックの遠赤外線作用による温熱作用とを合理的に組み合わせることにより、血流促進効果や、痛みの解消効果を更に高めることができる磁気装身具の提供を目的とするものである。
【課題を解決するための手段】
【００１０】
上述の目的を達成すべく本考案の第１の手段は、磁石にて形成された装飾体１０が紐状部材２０に連設された磁気装身具において、装飾体１０は、紐状部材２０を貫通せしめる貫通孔１１Ａを備えた磁石１１と、該貫通孔１１Ａの一端側をＮ極とし貫通孔１１Ａの他端側をＳ極とした磁石１１の外側面を覆うセラミック製の被覆体１２とを備え、隣接する装飾体１０の相対向した磁極が同極になるように配置して紐状部材２０にスライド自在に連設したことにある。
【００１１】
第２の手段において、磁石１１は筒状のネオジウム磁石とし、該磁石１１の周側面を覆うジルコニア製の被覆体１２と、磁石１１の開口両端部の外周囲を保護するチタン製の端部保護体１３とを設け、隣接する装飾体１０の端部保護体１３相互が当接するように構成している。
【００１２】
第３の手段は、前記紐状部材２０をスネークチェーンにて構成し、該紐状部材２０に固定する位置調整体３０を設け、前記紐状部材２０に連設した前記装飾体１０の位置を位置調整体３０にて固定するように構成したものである。
【００１３】
第４の手段において、前記位置調整体３０は、前記磁石１１の前記貫通孔１１Ａに嵌入する嵌入部３１と前記紐状部材２０を挿通する貫通孔３２とを備え、前記紐状部材２０に連設した前記装飾体１０の位置を位置調整体３０にて固定するように構成したものである。
【考案の効果】
【００１４】
本考案の請求項１によると、装飾体１０は、紐状部材２０を貫通せしめる貫通孔１１Ａを備えた磁石１１と、該磁石１１の外側面を覆うセラミック製の被覆体１２とを備えているので、セラミックの遠赤外線作用による温熱効果と磁石の磁気の作用による血流促進効果や、痛みの解消効果等の相乗効果を期待することができる。この結果、従来の磁石のみを使用した磁気ネックレスや、セラミックのみを使用した装身具に比べて優れた健康促進効果が得られるものである。
【００１５】
また、紐状部材２０に複数個の装飾体１０をスライド自在に連設すると共に、隣接する装飾体１０の相対向した磁極が同極になるように配置したことにより、複数の装飾体１０に紐状部材２０を挿通すると、隣接する装飾体１０の磁石１１の反発力にて装飾体１０が一定間隔に並んだ状態になる。この状態では、各装飾体１０の磁気が均等に保たれるので、肩回りのツボに対して平均的な磁気の作用を期待することができる。
【００１６】
更に、隣接する装飾体１０の間隔を狭めると、同じ磁極が対向しているので、磁気の強度を高めることができる。したがって、使用者は自らの手で各装飾体１０の磁気の強弱を調整することが可能になり、凝りのある部分に強い磁気を集中させて痛みの解消を期待することができる。
【００１７】
請求項２のごとく、磁石１１は筒状のネオジウム磁石とし、該磁石１１の周側面を覆うセラミック製の被覆体１２とを設けたことで、遠赤外線放射量の多いジルコニア製の被覆体１２が磁石１１全体を保護することができる。この結果、強力な磁力作用と共に大量の遠赤外線を放射することが可能になる。しかも、このジルコニアはハサミなどに使用されるように高い強度と靱性を備え、宝飾品にも利用されていることから、装飾体１０の被覆体１２として最適である。
【００１８】
更に、磁石１１の開口両端部の外周囲を保護するチタン製の端部保護体１３を設け、隣接する装飾体１０の端部保護体１３相互が当接するように構成しているので、磁気の強い磁石１１の同極相互を強制的に接合した場合でも、この磁石１１の開口両端部をチタン製の端部保護体１３が保護しているので、磁石１１の破損を防止することができる。
【００１９】
請求項３のように、紐状部材２０をスネークチェーンにて構成し、該紐状部材２０に固定する位置調整体３０を設け、紐状部材２０に連設した装飾体１０の位置を位置調整体３０にて固定するように構成したことで、任意の位置に装飾体１０を集めて磁気の強度を高めると共に、ジルコニアから放射される遠赤外線を集めて温熱効果を高めることができる。
【００２０】
しかも、紐状部材２０をスネークチェーンにて構成することで、直進性に優れた紐状部材２０となり、装飾体１０の磁力の作用による変形等を防止し、美しい円環状を保持することができる。また、このスネークチェーンに沿って装飾体１０を集める作業も容易になるので、使用者自らが高めた磁気や遠赤外線を凝りのある部分に容易にあてることができる。
【００２１】
請求項４のように、位置調整体３０は、前記磁石１１の前記貫通孔１１Ａに嵌入する嵌入部３１と前記紐状部材２０を挿通する貫通孔３２とを備えているので、位置調整体３０の形状が装飾体１０の形状に似せることが可能になる。したがって、位置調整体３０がいたずらに目立つ虞がなくなり、外観上、好適な使用が可能になる。
【００２２】
このように、本考案によると、磁気の作用による肩回り全体の血流促進効果と共に、セラミックの遠赤外線作用による温熱作用とを合理的に組み合わせることにより、血流促進効果や、痛みの解消効果を更に高めることができるなどといった当初の目的を達成した。
【図面の簡単な説明】
【００２３】
【図１】本考案装身具の一実施例を示す正面図である。
【図２】本考案の装飾体の一実施例を示す側断面図である。
【図３】図２に示す矢視III-III線断面図である。
【図４】本考案の位置調整体を示す斜視図である。
【図５】本考案の位置調整体にて集められた装飾体を示す正面図である。
【図６】装飾体による反発磁気線による磁界を示し、（イ）は反発力で離れた状態を示し、（ロ）は同極を近づけて反発力を高めた状態を示す概念図である。
【考案を実施するための形態】
【００２４】
以下、本考案の実施例を説明する。本考案は複数個の装飾体１０が紐状部材２０に連設された磁気装身具に関するものである（図１参照）。本考案において、装身具とは、ネックレス、ブレスレット、指輪、イヤリング、ピアスを含むものである。そして、本考案の装飾体１０は、磁石１１とこの磁石１１を被覆するカバー部１２とで構成している（図２参照）。
【００２５】
磁石１１は、ネオジウム磁石を使用し、紐状部材２０を貫通する貫通孔１１Ａを開穿している（図２参照）。そして、この貫通孔１１Ａの一端側をＮ極とし、貫通孔１１Ａの他端側をＳ極とする。図示の磁石１１は円柱形状を成しているが、この形状は任意に変更することが可能である（図３参照）。
【００２６】
被覆体１２は、セラミックにて形成するもので、磁石１１の貫通孔１１Ａに沿った周側面を覆う被覆部材である（図２参照）。このセラミックとして、ジルコニウム系又はラジウム系のセラミックを使用すると遠赤外線を多量に放射することができる。特に、ジルコニアは遠赤外線の放射量が多く、しかも、ハサミなどに使用されるように、高い強度と靱性を備え、宝飾品にも利用されていることから、被覆体１２として最適である。またセラミックの種類は任意に変更することができる。
【００２７】
図示例では、貫通孔１１Ａの開口端部側を保護する端部保護体１３を設けている。この端部保護体１３は、チタンや貴金属等を使用した環状部材で、隣接する装飾体１０相互を接合した場合に、この端部保護体１３相互が当接するように構成している。尚、この端部保護体１３を使用せず、被覆体１２のみで磁石１１の開口両端部の外周囲を保護することも可能である。また、端部保護体１３の有無や材質の変更は自由に選択することができる。
【００２８】
そして、紐状部材２０に複数個の装飾体１０をスライド自在に連設する。このとき、隣接する装飾体１０の相対向した磁極が同極になるように配置する。このような配置によると、隣接する装飾体１０は相互に反発して一定の距離を保つようになる。そのため、この状態で本考案装身具を着用すると、紐状部材２０にスライド自在に装着した各装飾体１０が、一定間隔に並んだ状態になる（図１参照）。
【００２９】
図示例では、紐状部材２０をスネークチェーンにて構成している（図２参照）。このスネークチェーンを使用することで、直進性に優れた紐状部材２０となる。したがって、装飾体１０の磁力の作用による変形等を防止し、美しい円環状を保持する。また、このスネークチェーンに沿って装飾体１０を集める作業も容易になるので、使用者自らが高めた磁気や遠赤外線を凝りのある部分に容易にあてることができる。尚、紐状部材２０の構成は図示例に限られるものではなく、任意に変更することができる。
【００３０】
更に、この装飾体１０を１箇所に固定する位置調整体３０を使用することが可能である（図４参照）。この位置調整体３０は、紐状部材２０に固定する部材で、紐状部材２０に連設した装飾体１０の位置を任意の位置に固定する（図１参照）。図示の位置調整体３０は、磁石１１の貫通孔１１Ａに嵌入する嵌入部３１と、紐状部材２０を貫通する貫通孔３２とを備えたものである（図４参照）。
【００３１】
そして、この位置調整体３０を紐状部材２０の任意の位置に装着しておき、１箇所に集めた装飾体１０の両端部分の貫通孔１１Ａに位置調整体３０の固定部２１を挿入して位置調整体３０の位置を固定する（図５参照）。この位置調整体３０は紐状部材２０に固定できるものであれば例えばクリップ状の構成でも良く、合成樹脂材や金属材、貴金属材等の使用が可能である。
【００３２】
本考案を使用するには、まず、通常の装身具のように首回りに着用すると、各装飾体１０が同極の反発力で等間隔に離れた状態で装着される（図１、図６（イ）参照）。この状態では、肩回り全体に磁気の作用と遠赤外線の作用との相乗効果による温暖効果と血流促進効果を期待することができる。
【００３３】
一方、装飾体１０の磁気や遠赤外線を調整する場合は、複数の装飾体１０を集めることで調整する（図５、図６（ロ）参照）。例えば、数個の装飾体１０を集めると、隣接する磁石１１の同極が当接する位置で磁気が増幅されると同時に音赤外線の放射量も集中することになる。そのため、装飾体１０の磁石１１が接する部分から使用者側に向いた強力な磁気と共に大量の遠赤外線が放射されるものである。
【００３４】
磁気の強さや遠赤外線の放射量は、集める装飾体１０の数や隣接する装飾体１０の間隔によって調整できるので、使用者は、磁気の強さや遠赤外線の放射量を任意に設定することができる。また、装飾体１０を集める位置も１箇所に限らず、複数箇所で装飾体１０を集めることも可能である。このように、使用者自らが磁気や遠赤外線の調整を行い、凝りのある部分に強い磁気や遠赤外線を集中させることができる。
【００３５】
尚、本考案は図示例に限られるものではなく、装飾体１０や紐状部材２０、あるいは位置調整体３０の各構成部材の寸法、材質、及び被装着物等は任意に変更することが可能である。
【符号の説明】
【００３６】
１０  装飾体
１１  磁石
１１Ａ  貫通孔
１２  被覆体
２０  紐状部材
３０  位置調整体
３１  嵌入部
３２  貫通孔
【図１】
0003210600.tif 000003
【図２】
0003210600.tif 000004
【図３】
0003210600.tif 000005
【図４】
0003210600.tif 000006
【図５】
0003210600.tif 000007
【図６】
0003210600.tif 000008